(57)【要約】【課題】    感光材料の感度ムラを効果的に補正できる画像記録装置の提供。【解決手段】  画像形成材料に画像を形成する画像形成手段と、前記画像形手段を制御する制御手段と、画像を形成しようとする画像形成材料のロット情報を、ネットワークを介して外部サーバに送信するロット情報入力手段と、前記送信したロット情報に対応する感度ムラ情報を前記外部サーバからダウンロードするダウンロード手段とを備え、前記制御手段は、前記ダウンロード手段によってダウンロードされた感度ムラ情報に基き、前記画像形成材料の感度ムラを補正するように前記画像形成手段の画像形成条件を制御する画像記録装置。【選択図】        図７
2005077835.tif 000002
【特許請求の範囲】
【請求項１】
画像形成材料に画像を形成する画像形成手段と、
前記画像形手段を制御する制御手段と、
画像を形成しようとする画像形成材料のロット情報を、ネットワークを介して外部サーバに送信するロット情報入力手段と、
前記送信したロット情報に対応する感度ムラ情報を前記外部サーバからダウンロードするダウンロード手段とを備えてなり、
前記制御手段は、前記ダウンロード手段によってダウンロードされた感度ムラ情報に基き、前記画像形成材料の感度ムラを補正するように前記画像形成手段の画像形成条件を制御することを特徴とする画像記録装置。
【請求項２】
前記ロット情報は、画像形成材料のロット番号、製造時期、およびスリット位置であり、
前記制御手段は、前記感度ムラ情報と、前記画像形成材料の製造時期からの経過時間、および画像形成時の温湿度とに基き、前記画像形成手段の画像形成条件を制御する請求項1に記載の画像記録装置。
【請求項３】
前記ロット情報入力手段は、前記画像形成材料に表示されたロット情報を読み取るロット情報読取手段を備えてなる請求項１または２に記載の画像記録装置。
【請求項４】
前記ロット情報は、光学的に読取可能な光学読取コードによって表示されてなり、前記ロット情報読取手段は、前記光学読取コードを光学的に読み取る光学的読取手段である請求項３に記載の画像記録装置。
【請求項５】
感度ムラ情報が表示された画像形成材料に画像を形成する画像形成装置であって、
画像形成材料に画像を形成する画像形成手段と、
前記画像形手段を制御する制御手段と、
前記画像形成手段で画像を形成しようとする画像形成材料の感度ムラ情報を読み取る感度ムラ情報読取手段とを
備えてなり、
前記制御手段は、前記感度ムラ情報読取手段で読み取られた感度ムラ情報に基き、前記画像形成材料の感度ムラを補正するように前記画像形成手段の画像形成条件を制御することを特徴とする画像記録装置。
【請求項６】
感度ムラ情報と製造時期とが表示された画像形成材料に画像を形成する画像形成装置であって、
前記感度ムラ情報読取手段は、前記画像形成手段で画像を形成しようとする画像形成材料の感度ムラ情報と製造時期とを読み取り、
前記制御手段は、前記感度ムラ情報読取手段で読み取られた感度ムラ情報と製造時期、および画像形成時の温湿度に基き、前記画像形成材料の感度ムラを補正するように前記画像形成手段の画像形成条件を制御する請求項５に記載の画像記録装置。
【請求項７】
前記感度ムラ情報および製造時期情報は、光学的に読取可能な光学読取コードによって表示されてなり、
前記情報読取手段は前記光学読取コードを読み取る光学読取コード読取部と、前記光学読取コード読取部で読み取った感度ムラ情報および製造時期情報を前記制御手段に入力する読取情報入力部とを備えてなる
請求項５または６に記載の画像記録装置。
【請求項８】
画像形成材料に画像を形成する画像形成手段と、
前記画像形成手段において感度ムラを補正する複数の画像形成条件が格納されてなる画像形成条件記憶手段と、
前記画像形成条件記憶手段から画像形成条件を呼び出す画像形成条件呼出手段と、
前記画像形成条件呼出手段によって呼び出された画像形成条件にしたがって前記画像形手段を制御する制御手段とを備えるとともに、
前記画像形成手段において画像が形成される画像形成材料には、前記画像形成条件記憶手段に格納された画像形成条件の何れにしたがって画像を形成すべきかを示す形成条件選択情報が表示されてなり、
前記画像形成条件呼出手段は、前記画像形成材料に表示された形成条件選択情報を読み取り、読取結果に従って前記画像形成条件記憶手段から画像形成条件を呼び出すことを特徴とする画像記録装置。
【請求項９】
前記形成条件選択情報は光学読取コードによって表示されてなる請求項８に記載の画像記録装置。
【請求項１０】
前記画像形成材料は感光材料であり、前記画像形成手段は、前記感光材料をレーザ露光して潜像を形成する露光手段と、前記潜像を現像して画像を形成する現像手段とを備える請求項1〜９の何れか1項に記載の画像記録装置。
【請求項１１】
前記露光手段は、前記感光材料をレーザ露光するレーザ光の出力を制御して前記感光材料の感度ムラを補正する請求項１０に記載の画像記録装置。
【請求項１２】
前記現像手段は、現像条件を制御して前記感光材料の感度ムラを補正する請求項１０に記載の画像記録装置。
【請求項１３】
前記感光材料は銀塩と色素放出化合物とを含有し、前記露光手段で像様露光されると前記色素放出化合物から色素が放出されて潜像を形成するとともに、
前記現像手段は、前記潜像が形成された感光材料に受像材料を重ね合わせて前記潜像を前記受像材料に熱転写してプリントを作製する熱転写手段を備えてなる
請求項１１〜１２の何れか１項に記載の画像記録装置。
【請求項１４】
前記熱転写手段は、前記感光材料と前記受像材料とを加熱する複数の加熱手段を有してなり、
前記制御手段は、前記加熱手段夫々について加熱温度を制御することにより、前記感光材料の感度ムラを補正する請求項１３に記載の画像記録装置。
【発明の詳細な説明】
【技術分野】
【０００１】
本発明は、画像記録装置に関し、特に画像形成材料が感度ムラを有するときに、前記感度ムラを自動的に補正できる画像記録装置に関する。
【背景技術】
【０００２】
銀塩と色素放出型レドックス化合物（ＤＲＲ化合物）とを含有する感光材料と、媒染剤を含有する受像材料とを用いて画像記録を行う銀塩／熱転写型（所謂ピクトログラフィ（Ｒ）型）の画像記録装置が近年広く使用されるようになってきた。
【０００３】
前記画像記録装置においては、感光材料と受像材料とは、何れもロール状に巻回されて遮光性のマガジンに収容されている。
【０００４】
感光材料は、マガジンから引き出されて所定のサイズに裁断されて露光部に導入され、前記露光部で露光されて所定の画像が形成される。
【０００５】
画像が形成された感光材料は、水塗布部に搬送されて表面に水が塗布され、熱転写部に導入される。
【０００６】
一方、受像材料は、前記感光材料と同期してマガジンから引き出されて前記画像を転写するのに必要な大きさに裁断され、熱転写部に導入される。
【０００７】
熱転写部に導入された受像材料は、表面に水が塗布された感光材料と重ね合わされて密着される。この状態でヒータ等によって加熱されることにより感光材料から色素が放出され、感光材料上の画像が受像材料に転写される。
【０００８】
画像が熱転写された受像材料は、感光材料から剥離され、乾燥ヒータや乾燥ファンなどの適宜の乾燥手段で乾燥され、得られたプリントは画像記録装置外に排出される。
【０００９】
しかしながら、前記画像記録装置においては、画像記録装置の側における熱転写時の温度分布の不均一に起因してプリントの画像に濃度ムラや色ムラを生じることがあった。
【００１０】
そこで、画像記録装置に熱転写用のヒータを複数設け、夫々のヒータの加熱温度を制御して感光材料と受像材料とを均一に過熱することにより、プリントにおける濃度ムラや色ムラを解消することが検討された（特許文献1）。
【特許文献１】特開平８―２９９５４号公報
【発明の開示】
【発明が解決しようとする課題】
【００１１】
しかしながら、感光材料は、感度や潜像の色バランスなどの特性が一様であるとは限らず、部分部分によって感度や色バランスが異なる感度ムラを示すことがある。また、製造ロットが異なったり、同一の製造ロットであっても所定巾に裁断する裁断位置即ちスリット位置が異なったりした場合にも、異なる感度ムラを示すことがある。更に、製造当初は一様な特性を示していた感光材料が、製造されてから使用されるまでの保存期間の影響や、露光時の温度や湿度の影響によって感度ムラを示すことがある。
【００１２】
このように感度ムラのある感光材料を用いた場合には、熱転写時に均一に加熱しても、得られるプリントに濃度ムラや色彩バランスのムラが生じることがあった。
【００１３】
本発明は、感光材料のような画像形成材料に感度ムラがある場合においても、濃度ムラや色彩バランスのムラなどのない画像を形成できる画像記録装置を提供することを目的とする。
【課題を解決するための手段】
【００１４】
請求項１に記載の発明は、画像形成材料に画像を形成する画像形成手段と、前記画像形手段を制御する制御手段と、画像を形成しようとする画像形成材料のロット情報を、ネットワークを介して外部サーバに送信するロット情報入力手段と、前記送信したロット情報に対応する感度ムラ情報を前記外部サーバからダウンロードするダウンロード手段とを備えてなり、前記制御手段は、前記ダウンロード手段によってダウンロードされた感度ムラ情報に基き、前記画像形成材料の感度ムラを補正するように前記画像形成手段の画像形成条件を制御することを特徴とする画像記録装置に関する。
【００１５】
前記画像記録装置においては、画像を形成しようとする画像形成材料について、ロット情報を前記外部サーバに送信して前記ロット情報に対応する感度ムラ情報をダウンロードすることにより、前記画像形成材料についての感度ムラ情報を取得する。そして、このようにして取得された感度ムラ情報に基き、前記制御手段によって画像形成手段の画像形成条件を制御して感度ムラを補正している。
【００１６】
外部サーバは容量が大きいから、種々のロットの画像形成材料について、対応する感度ムラ情報を格納できる。
【００１７】
したがって、前記画像記録装置によれば、種々のロットの画像形成材料を使用する場合においても、前記画像形成材料のロットに適合した条件で画像を形成できるから、感度ムラのある画像形成材料を用いた場合においても、濃度ムラや色歯バランスのムラ（以下、「色ムラ」ということがある。）のない画像が得られる。
【００１８】
請求項２に記載の発明は、前記ロット情報が、画像形成材料のロット番号、製造時期、およびスリット位置であり、前記制御手段は、前記ダウンロード手段によってダウンロードされた感度ムラ情報と、前記画像形成材料の製造時期からの経過時間、および画像形成時の温湿度とに基き、前記画像形成手段の画像形成条件を制御する画像記録装置に関する。
【００１９】
前記画像記録材料は、通常は、幅広の画像形成材料原反を製造し、これを巾方向に亘って複数列に裁断して所定の巾に加工することにより製造される。
【００２０】
ここで、画像形成材料原反は全幅に亘って感度や色ムラなどの特性が同一であるとは限らないから、同一のロットの画像形成材料であっても、前記裁断位置、換言すればスリット位置が異なれば、種々の感度ムラを示すと考えられる。また、製造時からの経過時間や、画像形成時の温度や湿度によっても感度ムラ特性は変化する。
【００２１】
しかし、前記画像記録装置によれば、画像形成材料のロットだけでなく、スリット位置、および製造時からの経過時間に適合した画像形成条件で画像形成を行うことができるから、同一のロットの画像形成材料の間における感度ムラであっても効果的に補正できる。
【００２２】
請求項３に記載の発明は、前記ロット情報入力手段が前記画像形成材料に表示されたロット情報を読み取るロット情報読取手段を備えてなる画像記録装置に関する。
【００２３】
前記画像記録装置においては、画像形成材料に表示されたロット情報は、前記ロット情報入力手段が備えるロット情報読取手段で読み取られて前記ダウンロード手段によって前記外部サーバに自動的に送信される。
【００２４】
したがって、新たな画像形成材料をセットする度毎にオペレータが新たなロット情報を入力する必要がない上、新たなロット情報をオペレータが入力し忘れて感度ムラが正しく補正されない条件で画像形成が行われることが効果的に防止される。
【００２５】
請求項４に記載の発明は、前記ロット情報が、光学的に読取可能な光学読取コードによって表示されてなり、前記ロット情報読取手段が、前記光学読取コードを光学的に読み取る光学的読取手段である画像記録装置に関する。
【００２６】
前記画像記録装置においては、前記ロット情報を光学的に読み取るのであるから、非接触でしかも短時間に読み取ることができる。
【００２７】
請求項５に記載の発明は、感度ムラ情報が表示された画像形成材料に画像を形成する画像形成装置であって、画像形成材料に画像を形成する画像形成手段と、前記画像形手段を制御する制御手段と、前記画像形成手段で画像を形成しようとする画像形成材料の感度ムラ情報を読み取る感度ムラ情報読取手段とを備えてなり、前記制御手段は、前記感度ムラ情報読取手段で読み取られた感度ムラ情報に基き、前記画像形成材料の感度ムラを補正するように前記画像形成手段の画像形成条件を制御することを特徴とする画像記録装置に関する。
【００２８】
前記画像記録装置においては、画像形成材料に表示された感度ムラ情報を読み取り、読み取られた感度ムラ情報に基いて前記画像形成材料の感度ムラを補正するように画像形成手段の画像形成条件を制御している。
【００２９】
したがって、前記画像形成材料が感度ムラを有するものであっても、前記感度ムラは自動的に補正されるから、前記画像形成材料に形成される画像に、濃度ムラなどの欠陥が生じることはない。また、前記画像記録装置は、外部サーバから感度ムラ情報を取得する必要がないので、インターネット等の外部ネットワークに接続する必要がない。
【００３０】
請求項６に記載の発明は、感度ムラ情報と製造時期とが表示された画像形成材料に画像を形成する画像形成装置であって、前記感度ムラ情報読取手段は、前記画像形成手段で画像を形成しようとする画像形成材料の感度ムラ情報と製造時期とを読み取り、前記制御手段は、前記感度ムラ情報読取手段で読み取られた感度ムラ情報と製造時期、および画像形成時の温湿度に基き、前記画像形成材料の感度ムラを補正するように前記画像形成手段の画像形成条件を制御する画像記録装置に関する。
【００３１】
前記画像記録装置においては、前記画像形成材料に表示された感度ムラ情報のほか、製造時期からの経過時間や画像形成時の温湿度に基いて前記画像形成手段の画像形成条件を制御することにより、経過時間や温湿度の差によって生じる感度ムラを容易に補正できる。
【００３２】
請求項７に記載の発明は、前記感度ムラ情報および製造時期情報が、光学的に読取可能な光学読取コードによって表示されてなり、前記情報読取手段は前記光学読取コードを読み取る光学読取コード読取部と、前記光学読取コード読取部で読み取った感度ムラ情報および製造時期情報を前記制御手段に入力する読取情報入力部とを備えてなる画像記録装置に関する。
【００３３】
前記画像記録装置においては、感度ムラ情報および製造時期情報を示す光学読取コードを光学的に読み取ることにより、画像を記録しようとする画像形成材料について感度ムラ情報および製造時期情報を取得しているから、感度ムラ情報および製造時期情報をを非接触で、しかも自動的に読み取ることができる。
【００３４】
請求項８に記載の発明は、画像形成材料に画像を形成する画像形成手段と、前記画像形成手段において感度ムラを補正する複数の画像形成条件が格納されてなる画像形成条件記憶手段と、前記画像形成条件記憶手段から画像形成条件を呼び出す画像形成条件呼出手段と、前記画像形成条件呼出手段によって呼び出された画像形成条件にしたがって前記画像形手段を制御する制御手段とを備えるとともに、前記画像形成手段において画像が形成される画像形成材料には、前記画像形成条件記憶手段に格納された画像形成条件の何れにしたがって画像を形成すべきかを示す形成条件選択情報が表示されてなり、前記画像形成条件呼出手段が、前記画像形成材料に表示された形成条件選択情報を読み取り、読取結果に従って前記画像形成条件記憶手段から画像形成条件を呼び出すことを特徴とする画像記録装置に関する。
【００３５】
前記画像記録装置においては、前記画像形成条件記憶手段には、代表的なパターンの感度ムラを補正できる画像形成条件を格納すればよいから、格納すべきデータを単純化できる。
【００３６】
また、前記画像形成材料に表示された形成条件選択情報に基いて画像形成条件記憶手段から画像形成条件を呼び出せばよいから、前記画像形成条件呼出手段が画像形成条件を選択して呼び出すロジックを単純化できる。
【００３７】
請求項９に記載の発明は、前記形成条件選択情報が光学読取コードによって表示されてなる画像記録装置に関する。
【００３８】
前記画像記録装置においては、形成条件選択情報を示す光学読取コードを光学的に読み取っているから、前記形成条件選択情報の読み取りが、非接触で、しかも迅速に行われる。また、自動読取にも容易に対応できる。
【００３９】
請求項１０に記載の発明は、前記画像形成材料が感光材料であり、前記画像形成手段は、前記感光材料をレーザ露光して潜像を形成する露光手段と、前記潜像を現像して画像を形成する現像手段とを備える画像記録装置に関する。
【００４０】
前記画像記録装置によれば、像様露光して画像を形成する感光材料に感度ムラがあるとき、前記感光材料の感度ムラは自動的に補正されるから、濃度ムラや色ムラのない画像が得られる。
【００４１】
請求項１１に記載の発明は、前記露光手段が、前記感光材料をレーザ露光するレーザ光の出力を制御して前記感光材料の感度ムラを補正する画像記録装置に関する。
【００４２】
前記画像記録装置においては、たとえば、前記感光材料の感度の低い部分を露光するときはレーザ光の出力を高くし、反対に前記感光材料の感度の高い部分を露光するときはレーザ光の出力を低くすることにより、前記感度ムラを補正することができる。
【００４３】
なお、前記画像形成装置においては、レーザ光の出力を直接に制御する代わりに、前記感光材料の感度の低い部分については明度が高くなり、反対に前記感光材料の感度の高い部分については明度が低くなるように、前記露光手段に入力する画像データを制御してもよい。
【００４４】
請求項１２に記載の発明は、前記現像手段が、現像条件を制御して前記感光材料の感度ムラを補正する画像記録装置に関する。
【００４５】
露光手段でレーザ光の出力を感度ムラに応じて制御することなく露光をすると、前記感光材料における感度の低い部分の潜像の濃度は相対的に薄くなり、感度の高い部分における潜像の濃度は相対的に高くなる。そこで、前記画像記録装置では、現像手段において、感光材料における潜像の濃度が薄い部分については画像の濃度が相対的に濃くなるように現像条件を設定し、潜像の濃度が濃い部分については画像の濃度が相対的に薄くなるように現像条件を設定する。
【００４６】
前記画像形成装置で行っている感度村の補正方法は、請求項１３に記載の画像記録装置に好適に適用できる。
【００４７】
請求項１３に記載の発明は、前記感光材料が銀塩と色素放出化合物とを含有し、前記露光手段で像様露光されると前記色素放出化合物から色素が放出されて潜像を形成するとともに、前記現像手段が、前記潜像が形成された感光材料に受像材料を重ね合わせて前記潜像を前記受像材料に熱転写してプリントを作製する熱転写手段を備えてなる画像記録装置に関する。
【００４８】
前記画像形成装置は、ピクトログラフィ型の画像記録装置に本発明を適用した例である。
【００４９】
請求項１４に記載の発明は、前記熱転写手段が、前記感光材料と前記受像材料とを加熱する複数の加熱手段を有してなり、前記制御手段は、前記加熱手段夫々について加熱温度を制御することにより、前記感光材料の感度ムラを補正する画像記録装置に関する。
【００５０】
ピクトログラフィ型の画像記録装置においては、感光材料の感度ムラを補正する方法として、像様露光の際に、感光材料に存在する感度ムラに応じてレーザ光の強度を制御する方法のほか、熱転写の際に前記感度ムラに応じて熱転写温度を制御する方法がある。
【００５１】
前記画像形成装置は、後者の方法により感度ムラ補正を行い、具体的には、熱転写の際に加熱手段を夫々温度制御することにより、感光材料の感度の低い部分に形成された潜像については、より高い温度で熱転写し、感光材料の感度の高い部分に形成された潜像については、より低い温度で熱転写するというように熱転写温度を制御することにより、感光材料の感度ムラを補正している。したがって、感度ムラ補正を容易に行うことができ、色ムラや濃度ムラのないプリントが容易に作製できる。
【発明の効果】
【００５２】
本発明によれば、感光材料に存在する感度ムラを容易に補正できる画像記録装置が提供される。
【発明を実施するための最良の形態】
【００５３】
１．  実施形態１
本発明に係る画像記録装置の一例である画像記録装置１００は、図１に示すように、筐体３０の略中央に設けられ、長尺帯状の感光材料１３が巻回されて収納された感材マガジン１２が装着される感材マガジン挿着部２４と、筐体３０の左上方部に設けられ、長尺帯状の受像材料１５が巻回されて収納された受材マガジン１４が装着される受材マガジン装着部２６と、感光材料１３を像様露光する露光装置１６と、像様露光した感光材料１３に水を塗布する水塗布部１８と、感光材料１３から受像材料１５に画像を転写する熱現像転写部２０と、転写済みの感光材料１３を巻きつける廃棄リール２２と、画像が形成された受像材料１５が排出されるトレイ２８と、現像熱転写部２０を制御する制御部６０とを備える。感光材料１３および受像材料１５は、本発明の画像記録装置における画像形成材料に相当し、露光装置１６および熱現像転写部２０は、前記画像形成装置における画像形成手段に相当する。そして、露光装置１６および熱現像転写部２０は、本発明の画像記録装置のうち画像形成手段が露光手段と現像手段とを備えるものにおける露光手段および現像手段に夫々対応する。また、制御部６０は、本発明の画像記録装置における制御手段に相当する。
【００５４】
感材マガジン１２には、制御部６０に記憶されている後述する制御パターン１〜６のうち何れの制御パターンで熱現像転写部２０を制御すべきを示す制御パターン情報がたとえばバーコードなどによって付されている。前記制御パターン情報は、本発明の画像記録装置における形成条件選択情報に相当する。なお、感材マガジン１２には、前記制御パターン情報に代えて感光材料１３の感度ムラのパターンを示す感度ムラ情報を表示してもよい。また、感材マガジン１２に前記制御パターン情報や感度ムラ情報を表示するコードは、バーコードのような一次元コードには限定されず、ＣＰ（Ｒ）コードやＶＳ（Ｒ）コード、Ｄｅｌｐｈｉｓ（Ｒ）コードのような二次元コードで表示してもよい。また、前記制御パターン情報や感度ムラ情報を感材マガジン１２に付する代わりに、感光材料１３の先端に舌状の引出片を設け、この引出片に一次元コードや二次元コード等により前記制御パターン情報や感度ムラ情報を表示してもよい。これらの方法の何れかによって制御パターン情報や感度ムラ情報が表示された感光材料１３は、何れも本発明における「感度ムラ情報」または「形成条件選択情報」が表示された「画像形成材料」の例である。
【００５５】
感材マガジン装着部２４には、装着された感材マガジン１２に付された制御パターン情報を読み取る制御パターン情報読取装置１１が設けられている。制御パターン情報読取装置１１は、本発明の画像記録装置における画像形成条件呼出手段の一部を構成する。
【００５６】
感材マガジン装着部２４に隣接し、感光材料１３を感材マガジン１２から引き出す引出ローラ３１と、引出ローラ３１で引き出された感光材料１３を所定の長さに裁断するカッタ３２とが設けられている。
【００５７】
一方、受材マガジン装着部２６に隣接し、受材マガジン１４から受像材料１５を引き出す引出ローラ３３と、引出ローラ３３で引き出された受像材料１５を所定の長さに裁断するカッタ３４とが設けられている。カッタ３２で裁断された感光材料１３を、以下、「感材シート１３Ａ」といい、カッタ３４で裁断された受像材料１５を、以下、「受材シート１５Ａ」ということがある。
【００５８】
熱現像転写部２０は、図１に示すように、感材シート１３Ａと受材シート１５Ａを圧接、搬送する一対の無端ベルト３６、３８と、各背面（搬送路側と反対）側における搬送方向上流側端部近傍に配設されたプレヒータ５０と、無端ベルト３６、３８における感材シート１３Ａと受材シート１５Ａの搬送方向に対してプレヒータ５０の下流側に配設されたメインヒータ５２とを備える。
【００５９】
メインヒータ５２は、図２に示すように、無端ベルト３６、３８と平行に配置されたアルミ製のプレート５４の背面（搬送路側と反対側）に搬送方向（矢印Ｘ参照）に３列、搬送方向に直交する幅方向（矢印Ｙ方向）に３列、すなわち３列×３列にマトリクス状に配置された９個のヒータ５６Ａ〜５６Ｉと、ヒータ５６Ａ〜５６Ｉの温度を検出する温度検出センサ５８Ａ〜５８Ｉとを有している。温度検出センサ５８Ａ〜５８Ｉはヒータ５６Ａ〜５６Ｉ上に配設されている。
【００６０】
制御部６０は、図３に示すように、ＣＰＵ６２、メモリ６４、ヒータ駆動ドライバ６８、およびバス７０を備えている。
【００６１】
メモリ６４には、複数（本実施形態では６個）の制御パターン１〜６が格納されている。
【００６２】
ＣＰＵ６２は、制御パターン情報読取装置１１におけるバーコードの読取結果に基づき、制御パターン１〜６のうちから１つの制御パターンを選択し、選択した制御パターンに従って、温度検出センサ５８Ａ〜５８Ｉからの検出温度に基いてヒータ５６Ａ〜５６Ｉをフィードバック制御する。ＣＰＵ６２は、制御パターン情報読取装置１１とともに、本発明の画像記録装置における画像形成条件呼出手段を構成する。
【００６３】
ヒータ駆動ドライバ６８は、ＣＰＵ６２からの指令に基いてヒータ５６Ａ〜５６Ｉの夫々の駆動電流を増減させてヒータ５６Ａ〜５６Ｉを駆動する機能を有する。
【００６４】
バス７０には、ＣＰＵ６２、メモリ６４、およびヒータ駆動ドライバ６８に加え、制御パターン情報読取装置１１および温度検出センサ５８Ａ〜５８Ｉが接続され、ＣＰＵ６２、メモリ６４、ヒータ駆動ドライバ６８、制御パターン情報読取装置１１、および温度検出センサ５８Ａ〜５８Ｉとの間において、バス７０を介して信号が授受される。
【００６５】
制御パターン１〜６においては、図４に示すようにヒータ５６Ａ〜５６Ｉの夫々の目標温度ＴA〜ＴIが設定されている。
【００６６】
以下、制御パターン１〜６について、図５および図６を用いて詳説する。図５および図６において、Ａ１〜Ｆ１は感光シート１３Ａにおける代表的な感度ムラの例を示す感度分布図であり、Ａ２〜Ｆ２は、感度分布図Ａ１〜Ｆ１に対応する目標温度ＴA〜ＴIの設定値を、Ａ３〜Ｆ３は、目標温度ＴA〜ＴIをＡ２〜Ｆ２に示すように設定したときとしないときとの受像シート１５Ａの中央部における濃度ムラを示す濃度ムラ分布図である。なお、感度分布図Ａ１〜Ｆ１においては、１〜５の数字を用いて感光シート１３Ａの感度を表すとともに、「１」が最も感度が低いことを、「５」が最も感度が高いことを示す。
【００６７】
図５に示すように、制御パターン１は、感光シート１３Ａの巾方向に沿って右方に向かって感度が低くなる場合に相当し、制御パターン２および３は、感光シート１３Ａの中央部が周辺部に比較して特に感度が低い場合に相当する。そして、図６に示すように、制御パターン４は、感光シート１３Ａの巾方向に沿って右方に向かって感度が高くなる場合に相当し、制御パターン５および６は、感光シート１３Ａの中央部の感度が周辺部に比較して高い場合に相当する。
【００６８】
以下、制御パターン１〜６において、どのように目標温度ＴA〜ＴIが設定されるかを、制御パターン１を例にとって説明する。
【００６９】
制御パターン１は、図５における感度分布図Ａ１に示すように、感材シート１３Ａが、左側の部分の感度が「３」と中程度であり、右側に向かって感度が低下し、右半部では感度が「１」または「２」まで低下するような感度ムラを示す場合に対応する。
【００７０】
したがって、図４に示し、図５においてＡ２に示すように、制御パターン１においては、感光シート１３Ａの左側を過熱するヒータ５６Ａ、５６Ｄ、５６Ｇの各目標温度ＴA、ＴD、およびＴGがそれぞれ８３℃（基準温度＋０℃）、８３℃（基準温度＋０℃）、８４℃（基準温度＋１℃）である。そして、中央部を加熱するヒータ５６Ｅの目標温度ＴE、および右半部を過熱するヒータ５６Ｃ、５６Ｆ，５６Ｉの各目標温度ＴC、ＴF、ＴIが８５℃（基準温度＋２℃）に設定されている。
【００７１】
このように、目標温度ＴA〜ＴIは、感光シート１３Ａにおいて感度が高い部分を加熱するヒータについては低く、感度が低い部分を加熱するヒータについては高く設定されている。
【００７２】
次に感材シート１３Ａの中央部の感度が低い場合に対応する制御パターン３について説明する。
【００７３】
制御パターン３は、図５における感度分布図Ｃ１に示すように、感材シート１３Ａが、左側の部分の感度が「４」〜「５」と高く、中央部の感度が「１」と低く、右側の感度が「３」と右側に向かって再び高くなるような感度ムラを示す場合に対応する。
【００７４】
したがって、図４に示し、図５においてＣ２に示すように、制御パターン３においては、感光シート１３Ａの左側を過熱するヒータ５６Ａ、５６Ｄ、５６Ｇの各目標温度ＴA、ＴD、およびＴGがそれぞれ８１℃（基準温度−２℃）、８１℃（基準温度−２℃）、８２℃（基準温度−１℃）である。そして、中央部を加熱するヒータ５６Ｅの目標温度ＴEが８５℃（基準温度＋２℃）であり、右半部を過熱するヒータ５６Ｃ、５６Ｆ，５６Ｉの各目標温度ＴC、ＴF、ＴIが８３℃（基準温度＋０℃）に設定されている。
【００７５】
このように、制御パターン３においても、目標温度ＴA〜ＴIは、感光シート１３Ａにおいて感度が高い部分を加熱するヒータについては低く、感度が低い部分を加熱するヒータについては高く設定されている。
【００７６】
制御パターン２、および制御パターン４〜６においても、目標温度ＴA〜ＴIと感材シート１３Ａの感度ムラとの関係は同様である。
【００７７】
画像記録装置１００の作用について以下に記録する。
【００７８】
感材マガジン装着部２４に感材マガジン１２を装着すると、制御パターン情報読取装置１１が、感材マガジン１２にバーコードで表示された制御パターン情報を読み取り、読取結果を、制御部６０におけるバス７０を通してＣＰＵ６２に入力する。
【００７９】
制御パターン情報読取装置１１で読み取られた制御パターン情報が、たとえば制御パターン１を選択せよとの内容であれば、ＣＰＵ６２は、メモリ６４に格納された制御パターン１〜６から制御パターン１を選択し、制御パターン１に従ってヒータ５６Ａ〜５６Ｉを制御する。即ち、ヒータ５６Ａ〜５６Ｉが、制御パターン１で設定された目標温度ＴA〜ＴIに加熱されるように、ヒータ駆動ドライバ６８を介してヒータ５６Ａ〜５６Ｉを制御する。温度検出センサ５８Ａ〜５８Ｉからはヒータ５６Ａ〜５６Ｉの実際の温度がバス７０を通してＣＰＵ６２に入力され、ヒータ５６Ａ〜５６ＩはＣＰＵ６２によってフィードバック制御される。
【００８０】
ヒータ５６Ａ〜５６Ｉが目標温度ＴA〜ＴIまで予熱されたら、感材マガジン１２から引出ローラ３１によって感光材料１３を引き出し、カッタ３２で所定の長さの感材シート１３Ａに裁断する。
【００８１】
感材シート１３Ａは、露光装置１６に送られて像様露光された後、水塗布部１８で水を塗布され、熱現像転写部２０に導入される。
【００８２】
一方、受材マガジン１４からは引出ローラ３３によって受像材料１５を引き出し、カッタ３４で感材シート１３Ａの搬送方向に沿った長さと実質同一の長さの受材シート１５Ａに裁断する。
【００８３】
受材シート１５Ａは、水塗布された感材シート１３Ａが熱現像転写部２０に導入されるのと同期して熱現像転写部２０に導入される。
【００８４】
熱現像転写部２０に導入された感材シート１３Ａと受材シート１５Ａとは、無端ベルト３６、３８によって互いに重ね合わされて図１における下方に向かって搬送され、プレヒータ５０およびメインヒータ５２との間を通過する。これにより、感材シート１３Ａに形成された潜像が受材シート１５Ａに熱転写される。
【００８５】
ここで、感光シート１３Ａを露光装置１６で露光すると、潜像の濃度は、感度の高い部分においては相対的に高くなり、感度の低い部分においては相対的に低くなる。したがって、ヒータ５６Ａ〜５６Ｉの目標温度ＴA〜ＴIを８３℃に設定し、現像熱転写部２０において感材シート１３Ａと受材シート１５Ａとを均等に加熱したとすると、得られるプリントにおける画像の相対的濃度は、図５における濃度分布図Ａ３において二点鎖線で示すように、左側が高く、右側が低くなる。
【００８６】
しかし、制御パターン１に従って目標温度ＴA〜ＴIが設定されているから、熱現像転写部２０においては、感材シート１３Ａにおける感度の低い部分である右半分は８５℃と高い温度に加熱され、感材シート１３Ａにおける感度の高い部分である左側は８３℃と低い温度にしか加熱されない。したがって、受材シート１５Ａのうち、感材シート１３Ａにおいて感度の低い部分に重なった部分には相対的に高濃度の画像が形成され、感材シート１３Ａにおいて感度の高い部分に重なった部分には相対的に濃度の低い画像が形成される。したがって図５の濃度分布図Ａ３において実線で示すように、受材シート１５Ａにおける相対的な画像濃度は平均化され、濃度ムラのない画像が形成される。
【００８７】
これは、感材シート１３Ａが、図５のＢ１、Ｃ１、および図６のＤ１〜Ｆ１に示すパターンの感度ムラを示す場合についても同様である。
【００８８】
熱現像転写部２０において画像が形成された受材シート１５Ａは、無端ベルト３６、３８間から排出され、剥離爪４１によって感材シート１５Ａから剥離され、排出ローラ３９によってトレイ２８に排出される。一方、剥離された感材シート１５Ａは、リール２２に巻回される。
【００８９】
このように、実施形態１に係る画像記録装置１００においては、感光材料１３または感材マガジン１２に示された制御パターン情報を制御パターン情報読取装置１１で読み取り、制御部６０において、前記制御パターン情報で指定された制御パターンを読み出すとともに、呼び出した制御パターンに基いて熱現像転写部２０のヒータ５６Ａ〜５６Ｉの温度を制御して受材シート１５に熱転写される画像の相対濃度を制御することにより、感度ムラ補正を行っている。
【００９０】
したがって、感光材料１３に感度ムラがある場合にも、濃度ムラや色むらのないプリントが得られるだけでなく、露光装置１６において感度ムラに応じてレーザ光の強度を制御する必要がないから、感度ムラ補正ロジックが簡素になる。
【００９１】
また、感光材料１３や感材マガジン１２には、感度ムラ情報そのものを表示する必要がないから、感光材料１３や感材マガジン１２に表示する情報量も少なくて済む。
【００９２】
２．  実施形態２
本発明に係る画像記録装置の別の例である画像記録装置１０２の構成を図７に示す。図７において特に断らない限り、図１と同一の符号は、前記符号が図１で示す要素と同一の要素を示す。
【００９３】
図７に示すように、画像記録装置１０２における制御部６０は、インターネット３００を介して外部サーバ２００に接続されている。インターネット３００は、本発明における外部ネットワークに相当する。制御部６０には、更にコンピュータ８０が接続されている。コンピュータ８０は、感光材料１３についてどのようなロット情報が読み取られて外部サーバ２００に送信されたかを表示するディスプレー８０Ｂと、必要に応じて種々のデータやコマンドを入力するキーボード８０Ａと、本体８０Ｃとから構成されている。
【００９４】
また、感材マガジン１２には、内部に収容された感光材料１３の製造年月日、ロット番号、および１つのロットの感光材料１３における巾方向の裁断位置を示すスリット位置に関するロット情報を示すバーコードなどの一次元コードが印刷されている。なお、前記ロット情報は、感光材料１３のロット番号を包含する情報であり、本実施形態のように、ロット番号のほかに製造年月日やスリット位置を包含してもよく、ロット番号と製造年月日とからなっていてもよく、また、ロット番号とスリット位置とからなっていてもよい。また、ロット番号のみからなっていてもよい。
【００９５】
また、前記ロット情報は、バーコードのような一次元コードで表示したものには限定されず、ＣＰ（Ｒ）コードやＶＳ（Ｒ）コード、Ｄｅｌｐｈｉｓ（Ｒ）コードのような二次元コードで表示してもよい。また、ロット情報を感材マガジン１２に付する代わりに、感光材料１３の先端に舌状の引出片を設け、この引出片に一次元コードや二次元コード等により前記ロット情報を表示してもよい。
【００９６】
感材マガジン装着部２４には、感材マガジン１２または感光材料１３に表示されたロット情報を光学的に読み取るロット情報読取装置２１が設けられている。
【００９７】
一方、外部サーバ２００には、前記ロット情報と、前記ロット情報によって特定される感光材料１３の感度ムラ情報とが互いに関連づけられて格納されている。感度ムラ情報については後述する。
【００９８】
制御装置６０は、図８に示すように、実施形態１の画像記録装置１００と場合と同様、ＣＰＵ６２、メモリ６４、ヒータ駆動ドライバ６８、およびバス７０を備えている。バス７０には、温度検出センサ５８Ａ〜５８Ｉに加えてロット情報読取装置２１およびコンピュータ８０が接続されている。ロット情報は、通常は、ロット情報読取装置２１で読み取られてＣＰＵ６２に入力されるが、代りに、オペレータがロット情報をコンピュータ８０のキーボード８０Ａまたはディスプレー８０Ｂから直接入力してもよい。したがって、ロット情報読取装置２１およびコンピュータ８０が、本発明に係る画像記録装置が備えるロット情報入力手段に相当する。
【００９９】
メモリ６４には、感光材料１３の感度ムラ情報と前記感度ムラを補正するためのヒータ５６Ａ〜５６Ｉの制御パターンとが互いに関連付けられて格納されている。
【０１００】
ＣＰＵ６２は、ロット情報読取装置２１またはコンピュータ８０からロット情報が入力されると、インターネット３０を介してこのロット情報を外部サーバ２００に送信し、前記ロット情報に対応する感度ムラ情報を外部サーバ２００から探し出してダウンロードする機能を有する。また、外部サーバ２００からダウンロードされた感度ムラ情報を必要に応じてメモリ６４に格納するとともに、ＣＰＵ６２において、特定のロジックに従って前記感度ムラ情報に対応する制御パターンを作成し、この制御パターンに従ってヒータ駆動ドライバ６８を介してヒータ５６Ａ〜５６Ｉを制御している。
【０１０１】
以下、外部サーバ２００に格納されているロット情報と感度ムラ情報との関係について詳説する。
【０１０２】
図１０に示すように、外部サーバ２００の第１の記憶領域２０２には、感光材料１３のロット情報Ｒ１１、Ｒ１２、Ｒ１３，…Ｒ１ｎ、Ｒ２１、Ｒ２２、Ｒ２３、…Ｒ２ｎ、…が記憶され、第２の記憶領域２０４には、感光材料１３の感度ムラ情報Ｐ１１、Ｐ１２、Ｐ１３、…Ｐ１ｎ、Ｐ１２、Ｐ２２、Ｐ２３、…Ｐ２ｎ、…が格納されている。
【０１０３】
ロット情報Ｒ１１、Ｒ１２、Ｒ１３，…は、下記の表１に示すように感光材料１３のロット番号と、製造年月日と、スリット位置とを包含する。
【０１０４】
【表１】
2005077835.tif 000003
たとえばロット情報Ｒ１１を例にとると、ロット情報Ｒ１１は、
ａ．ロット番号：１００１、
ｂ．製造年月日：平成１５年４月１日の午前０時、
ｃ．スリット位置：１／ｎ
という情報の組合せからなっている。ここで、スリット位置ｍ／ｎは、ある特定のロット番号の感光材料１３を巾方向にｎ列に裁断したものの左側からｍ列目の位置を意味するものとする。したがって、ロット情報Ｒ１１は、ロット番号１００１の感光材料のうち、巾方向にｎ列に裁断したものの最も左側の列に位置する感光材料であることを意味する。
【０１０５】
同様に、ロット情報Ｒ１２は、
ａ．ロット番号：１００１、
ｂ．製造年月日：平成１５年４月１日の午前０時、
ｃ．スリット位置：２／ｎ
という情報の組合せからなり、ロット情報Ｒ２１は、
ａ．ロット番号：１００２、
ｂ．製造年月日：平成１５年４月１日の午前６時、
ｃ．スリット位置：１／ｎ
という情報の組合せからなる。
【０１０６】
一方、感度ムラ情報Ｐ１１、Ｐ１２、Ｐ１３、…Ｐ１ｎ、Ｐ１２、Ｐ２２、Ｐ２３、…Ｐ２ｎ、…は、図９に示すように、感材シート１３Ａの感度分布図の画像データとして与えられている。なお、図９における数字１、２、３、４、５の意味は、図５および図６と同様である。また、感度ムラ情報Ｐ１１、Ｐ１２、Ｐ１３、…Ｐ１ｎ…には、全体的な感度の大小だけでなく、赤、青、緑の各色毎の感度分布を包含してもよい。
【０１０７】
そして、外部サーバ２００においては、ロット情報と感度ムラ情報とは、図１０に示すように、
ロット情報Ｒ１１  →  感度ムラ情報Ｐ１１
ロット情報Ｒ１２  →  感度ムラ情報Ｐ１２
ロット情報Ｒ１３  →  感度ムラ情報Ｐ１３
・・・
ロット情報Ｒ１ｎ  →  感度ムラ情報Ｐ１ｎ
ロット情報Ｒ２１  →  感度ムラ情報Ｐ２１
ロット情報Ｒ２２  →  感度ムラ情報Ｐ２２
ロット情報Ｒ２３  →  感度ムラ情報Ｐ２３
・・・
ロット情報Ｒ２ｎ  →  感度ムラ情報Ｐ２ｎ
というような関連付けが成されて格納されている。ここで、右矢印「→」は、前記右矢印の左側のロット情報と前記右矢印の右側の感度ムラ情報とが互いに関連付けられていることを示す。
【０１０８】
次に、ＣＰＵ６２において、ダウンロードされた感度ムラ情報Ｐ１１、Ｐ１２、Ｐ１３、…Ｐ１ｎ、…に対応するヒータ５６Ａ〜５６Ｉの制御パターンを作成するロジックについて、感度ムラ情報Ｐ１１を例にとって説明する。
【０１０９】
先ず、ヒータ５６Ａ〜５６Ｉの加熱温度と感光材料１３の感度との関係を設定し、メモリ６４に格納する。具体的には、より感度の高い領域ほど加熱温度を低く設定する。実施形態２の例では、表２に示すように設定した。
【０１１０】
【表２】
2005077835.tif 000004
次いで、ヒータ５６Ａ〜ヒータ５６Ｉが、それぞれ、感度ムラ情報Ｐ１１で与えられる感度分布を有する感材シート１３Ａのどの感度の領域を加熱するかを見る。図１１に示す例では、ヒータ５６Ａ、５６Ｄ、５６Ｈが感度３の領域を加熱し、ヒータ５６Ｂ、５６Ｃが感度２の領域を加熱し、ヒータ５６Ｃ、５６Ｆ、５６Ｉが感度１の領域を加熱する。
【０１１１】
そして、表２に示す感光材料の感度とヒータ５６Ａ〜５６Ｉの加熱温度との関係を用い、ヒータ５６Ａ〜５６Ｉのそれぞれについて目標温度ＴA〜ＴIを決定する。この例で述べれば、ヒータ５６Ａ、５６Ｄ、５６Ｈについては目標温度は８３℃であり、ヒータ５６Ｂ、５６Ｃについては目標温度は８４℃であり、ヒータ５６Ｃ、５６Ｆ、５６Ｉについては目標温度は８５℃である。
【０１１２】
上記ロジックは、感度ムラ情報Ｐ１２、Ｐ１３、…Ｐ１ｎ、…に基いてヒータ５６Ａ〜５６Ｉの制御パターンを作成する場合においても同様に適用される。
【０１１３】
以下、実施形態２に係る画像記録装置１０２の作用について説明する。
【０１１４】
感材マガジン挿着部２４に感材マガジン１２が装着されると、感材マガジン１２に表示されたロット情報をロット情報読取装置２１が読み取り、制御部６０のバス７０を通してＣＰＵ６２に入力する。ＣＰＵ６２は、ロット情報読取装置２１からロット情報が入力すると、外部サーバ２００に記憶されたロット情報Ｒ１１、Ｒ１２、Ｒ１３、…を逐次ダウンロードし、入力されたロット情報をロット情報Ｒ１１、Ｒ１２、Ｒ１３、…と比較する。そして、前記ロット情報がロット情報Ｒ１１に相当すると判断すると、ロット情報Ｒ１１に関連付けられて格納されている感度ムラ情報Ｐ１１をダウンロードする。
【０１１５】
ＣＰＵ６２は、感度ムラ情報Ｐ１１をダウンロードすると、メモリ６４からヒータ５６Ａ〜５６Ｉの加熱温度と感光材料１３の感度との関係を呼び出し、上述のロジックに従って感度ムラ情報Ｐ１１に当て嵌めてヒータ５６Ａ〜５６Ｉの夫々の目標温度ＴA〜ＴIを決定する。
【０１１６】
目標温度ＴA〜ＴIを決定したら、実施形態１で述べたように、ヒータ駆動ドライバ６８を介してヒータ５６Ａ〜５６Ｉを制御し、予熱する。
【０１１７】
ヒータ５６Ａ〜５６Ｉの予熱が収容してからの作用は、実施形態１に係る画像記録装置１００と同一であるから省略する。
【０１１８】
実施形態２に係る画像記録装置においては、種々のロット番号およびスリット位置の感光材料について、外部サーバから対応する感度ムラ情報をダウンロードし、ダウンロードした感度ムラ情報に応じてヒータ５６Ａ〜５６Ｉの制御パターンを決定する。
【０１１９】
したがって、種々の感度ムラを有する感光材料１３を使用した場合においても、前記感度ムラを自動的に補正して濃度ムラや色ムラのないプリントを作成できる。
【０１２０】
また、感光材料１３の感度ムラの夫々について制御パターンを１対１で記憶させる必要がないから、制御部６０におけるメモリ６４の記憶容量を節約できる。
【０１２１】
なお、実施形態２において、外部サーバ２００からロット情報および感度ムラ情報をダウンロードする代りに、メモリ６４に、ロット情報Ｒ１１、Ｒ１２、Ｒ１３、…を格納する第１メモリ領域と、感度ムラ情報Ｐ１１、Ｐ１２、Ｐ１３、…を格納する第２メモリ領域とを設け、ロット情報読取装置２１が読み取ったロット情報を第１メモリ領域のロット情報Ｒ１１、Ｒ１２、Ｒ１３、…と比較し、対応する感度ムラ情報を前記第２メモリ領域から呼び出してヒータ５６Ａ〜５６Ｉの制御パターンを決定するようにしてもよい。
【産業上の利用可能性】
【０１２２】
本発明の画像形成装置は、ピクトログラフィ型画像形成装置を包含する。
【０１２３】
本発明の画像形成装置は、また、画像形成材料として長尺状の印画紙を用い、前記印画紙をレーザ光で操作して像様露光して現像するプリンタプロセッサも包含する。
【０１２４】
更に、白黒またはカラー感熱紙に画像を形成する感熱プリンターも本発明の画像形成装置に包含される。
【図面の簡単な説明】
【０１２５】
【図１】図１は、実施形態１に係る画像記録装置の構成を示す断面図である。
【図２】図２は、図１に示す画像記録装置の備えるメインヒータの構成の詳細を示す拡大図である。
【図３】図３は、図１に示す画像記録装置の備える制御部の構成の詳細を示すブロック図である。
【図４】図４は、図３に示す制御部に記憶されている制御パターン１〜６で設定された目標温度ＴA〜ＴIが図２に示すメインヒータの備えるどのヒータの目標温度であるかを示す説明図である。
【図５】図５は、制御パターン１〜３について、感光シートの感度ムラと、目標温度ＴA〜ＴIの設定値と、前記制御パターンによる濃度ムラ抑制作用との関係を示す説明図である。
【図６】図６は、制御パターン４〜６について、感光シートの感度ムラと、目標温度ＴA〜ＴIの設定値と、前記制御パターンによる濃度ムラ抑制作用との関係を示す説明図である。
【図７】図７は、実施形態２に係る画像記録装置の構成を示す断面図である。
【図８】図８は、実施形態２に係る画像記録装置の備える制御部６０の構成を示すブロック図である。
【図９】図９は、実施形態２に係る画像記録装置で用いられる感度ムラ情報の内容を示す説明図である。
【図１０】図１０は、実施形態２に係る画像記録装置が接続されている外部サーバ内におけるロット情報と感度ムラ情報との対応関係を示す説明図である。
【図１１】図１１は、実施形態２に係る画像記録装置の備える熱現像転写部のメインヒータを構成する９個のヒータが、それぞれ、感度ムラ情報Ｐ１１で与えられる感度分布を有する感材シートのどの感度の領域を加熱するかを示す説明図である。
【符号の説明】
【０１２６】
１１     制御パターン情報読取装置
１２     感材マガジン
１３Ａ   感光シート
１３     感光材料
１３Ａ   感材シート
１４     受材マガジン
１５     受像材料
１５Ａ   受材シート
１６     露光装置
１８     水塗布部
２０     熱現像転写部
３６、３８  無端ベルト
５２     メインヒータ
５６Ａ、５６Ｂ、５６Ｃ、５６Ｄ、５６Ｅ、５６Ｆ  ヒータ
５８Ａ、５８Ｂ、５８Ｃ、５８Ｄ、５８Ｅ、５８Ｆ  温度検出センサ
６０     制御部
６４     メモリ
６８     ヒータ駆動ドライバ
７０     バス
１００   画像記録装置
【図１】
2005077835.tif 000005
【図２】
2005077835.tif 000006
【図３】
2005077835.tif 000007
【図４】
2005077835.tif 000008
【図５】
2005077835.tif 000009
【図６】
2005077835.tif 000010
【図７】
2005077835.tif 000011
【図８】
2005077835.tif 000012
【図９】
2005077835.tif 000013
【図１０】
2005077835.tif 000014
【図１１】
2005077835.tif 000015